(57)【特許請求の範囲】
【請求項１】
搬送中の貝の孔あけ部に回転中のドリル刃で孔をあける貝孔あけ方法において、
回転移動する貝搬送体の夫々に、貝を一個ずつ縦向きに載せて貝搬送体により縦向きに搬送し、貝搬送体で搬送中に貝の孔あけ部を所定向きに位置決めし、その貝を位置決め状態に保持具で保持して縦向きで搬送を継続し、その保持搬送中の貝の搬送方向と同じ方向に且つ貝搬送速度と同じ速度で、電動ドリルを同期して横移動させ、その同期移動中に電動ドリルを貝方向に前進移動させて、電気ドリルの回転中のドリル刃で前記貝搬送体により保持搬送中の貝の孔あけ部に孔をあけ続け、孔あけ完了後にドリル刃を後退移動させて貝から抜いて、電動ドリルを元の位置に戻り移動させ、その電動ドリルを次に位置決め状態に保持搬送されてくる貝と同方向に同速で同期移動させて、当該貝の孔あけ部にドリル刃で孔をあけ続け、孔あけ完了後に貝からドリル刃を抜き、電動ドリルを戻り移動させて、貝搬送体で順次搬送されてくる貝に孔をあけ、これを繰り返して、順次搬送されてくる貝に孔をあける、
ことを特徴とする貝孔あけ方法。
【請求項２】
請求項１記載の貝孔あけ方法において、
貝搬送体に貝を載せて搬送し、搬送中に貝に孔を開ける貝孔あけ方法であり、貝搬送体は、チェーン、ベルト等の無端回転体に受け部が設けられ、貝搬送体の受け部に貝を一個ずつ縦向きに載せ、その貝を貝搬送体の走行により縦向きに搬送して整列具と当てて、受け部内の貝の孔あけ部を所定向きに位置決めし、その貝を位置決め状態に保持具で保持して縦向きで搬送を継続し、その保持搬送中の貝の搬送方向と同じ方向に且つ貝搬送速度と同じ速度で、電動ドリルを同期して横移動させ、その同期移動中に電動ドリルを貝方向に前進移動させて、電動ドリルの回転中のドリル刃により前記貝搬送体で保持搬送中の貝の孔あけ部に孔をあけ続け、孔あけ完了後にドリル刃を後退移動させて貝から抜いて、電動ドリルを元の位置に戻り移動させ、電動ドリルを次に位置決め状態に保持搬送されてくる貝と同方向に同速で同期移動させて、当該貝の孔あけ部にドリル刃で孔をあけ続け、孔あけ完了後に貝からドリル刃を抜き、電動ドリルを戻り移動させて、貝搬送体で順次搬送されてくる貝に孔をあけ、これを繰り返すことにより、順次搬送されてくる貝に孔をあける、
ことを特徴とする貝孔あけ方法。
【請求項３】
請求項１又は請求項２記載の貝孔あけ方法において、
電動ドリルの後退移動を前進移動よりも高速移動させ、戻り移動を横移動よりも高速移動させて、ドリル刃を貝から抜け易くし、電動ドリルを次の貝への孔あけ開始前に元の位置に戻す、
ことを特徴とする貝孔あけ方法。
【請求項４】
請求項１から請求項３のいずれか１項に記載の貝孔あけ方法において、
貝の投入、搬送を、貝の白い面を電動ドリルと反対側に向けて行うか、それと逆向きにして行う、
ことを特徴とする貝孔あけ方法。
【請求項５】
請求項１から請求項４のいずれか１項に記載の貝孔あけ方法において、
貝搬送体が受け部と支持体を備え、受け部に貝を一個ずつ縦向きに載せて貝の蝶番側を下方から支持体で支持し、支持された貝を貝搬送体の走行によりその走行方向に搬送し、搬送中の貝と貝搬送体に設けられた整列具を当てて、貝の孔あけ部を自動的に位置決めする、
ことを特徴とする貝孔あけ方法。
【請求項６】
請求項５記載の貝孔あけ方法において、
支持体を走行体とし、その支持体を貝搬送体の走行方向と同方向に、その走行速度よりも高速走行させて、貝搬送体で搬送される貝と貝搬送体の走行方向先方の整列具を当てて貝の孔あけ部を自動的に位置決めする、
ことを特徴とする貝孔あけ方法。
【請求項７】
請求項５記載の貝孔あけ方法において、
支持体を走行体とし、その支持体を貝搬送体の走行方向と逆方向に走行させて、貝搬送体で搬送される貝と貝搬送体に設けられた整列具を当てて貝の孔あけ部を自動的に位置決めする、
ことを特徴とする貝孔あけ方法。
【請求項８】
請求項５記載の貝孔あけ方法において、
支持体を固定とし、貝搬送体の走行により受け部内の貝を搬送して、走行方向先方にある整列具に、貝搬送体で搬送される貝を押し当てて貝の孔あけ部を自動的に位置決めする、
ことを特徴とする貝孔あけ方法。
【請求項９】
請求項１から請求項８のいずれか１項に記載の貝孔あけ方法において、
貝搬送体に貝を一個ずつ縦向きに載せて貝を貝搬送体により縦向きに搬送し、搬送中に貝の孔あけ部を貝搬送体で所定向きに位置決めし、貝を位置決め状態に保持具で保持して縦向きで搬送を継続し、保持搬送中の貝の搬送方向と同じ方向に且つ貝搬送速度と同じ速度で、電動ドリルを同期して横移動させ、その同期移動中に電動ドリルを貝方向に前進移動させて、電気ドリルのドリル刃での貝の孔あけ部への孔の継続、孔あけ完了後にドリル刃を後退移動させて貝から抜いて電動ドリルを元の位置に戻り移動させ、電動ドリルを次に位置決め状態に保持搬送されてくる貝と同方向に同速で同期移動させて、当該貝の孔あけ部にドリル刃で孔をあけ続け、孔あけ完了後に貝からドリル刃を抜き、電動ドリルを戻り移動させて、貝搬送体で順次搬送されてくる貝に孔をあけ、これら操作を繰り返して、順次搬送されてくる貝に孔をあけ、
前記作業を二組の貝搬送体で並行して行う、
ことを特徴とする貝孔あけ方法。
【請求項１０】
貝の孔あけ部に回転中のドリル刃で孔をあける貝孔あけ装置において、
貝孔あけ装置は、少なくとも、貝を縦向きで搬送する無端回転状の貝搬送体と、貝搬送体で搬送中の貝を保持する保持具と、搬送中の貝に孔をあける電動ドリルと、電動ドリルを駆動する駆動機構を備え、
貝搬送体は貝を一個ずつ縦向きに投入できる受け部を貝搬送体の走行方向に二以上備え、
各受け部は上方開口の投入口を備え、
電動ドリルは貝搬送体で搬送される貝と同方向に同速で同期移動して、搬送中の貝の孔あけ部にドリル刃で孔をあけ続け、
孔あけ完了後に貝から抜けてから元の位置に戻って、貝搬送体により次に搬送されてくる貝の孔あけ部に孔をあけることができる、
ことを特徴とする貝孔あけ装置。
【請求項１１】
請求項１０記載の貝孔あけ装置において、
保持具は貝搬送体で搬送される貝と同方向に同速で同期移動して、電動ドリルのドリル刃が貝の孔あけ部に当たる前に搬送中の貝を保持し続け、
電動ドリルは、前記保持具で保持され続けて搬送される貝と同方向に同速で同期移動して、保持搬送中の貝の孔あけ部にドリル刃で孔をあけ続け、ドリル刃が孔あけ完了後に貝から抜けてから元の位置に戻って、夫々の貝搬送体により次に搬送されてくる貝の孔あけ部に孔をあけることができる、
ことを特徴とする貝孔あけ装置。
【請求項１２】
請求項１０又は請求項１１記載の貝孔あけ装置において、
電動ドリルと保持具は、貝搬送体に対向して配置され、電動ドリルと保持具を駆動させる駆動機構は電動ドリルと保持具を一緒に又は別々に貝搬送体側に前進移動させ、貝搬送体の走行方向へ横移動させ、貝搬送体から離れる方向へ後退移動させ、前進前の元の位置へ戻り移動させることができる、
ことを特徴とする貝孔あけ装置。
【請求項１３】
請求項１０から請求項１２のいずれか１項に記載の貝孔あけ装置において、
貝搬送体が整列具を備え、整列具は、貝搬送体の走行により搬送される受け部内の貝と当たって、貝の孔あけ部を自動的に位置決めできる、
ことを特徴とする貝孔あけ装置。
【請求項１４】
請求項１０から請求項１３のいずれか１項に記載の貝孔あけ装置において、
貝搬送体が無端状の縦向き回転ベルトと、縦向き回転ベルトで搬送される受け部内の貝の蝶番側をその下方から支持する支持体を備え、支持体は固定又は移動可能である、
ことを特徴とする貝孔あけ装置。
【請求項１５】
請求項１４記載の貝孔あけ装置において、
貝搬送体の支持体が横移動可能な走行体であり、縦向き回転ベルトの回転走行方向と同方向に、縦向き回転ベルトよりも高速移動して、縦向き回転ベルトの受け部内の貝を当該縦向き回転ベルトに設けられた整列具に押し当てて、貝の孔あけ部を自動的に位置決めできる、
ことを特徴とする貝孔あけ装置。
【請求項１６】
請求項１４記載の貝孔あけ装置において、
貝搬送体の支持体が横移動可能な走行体であり、縦向き回転ベルトの回転走行方向と逆方向に移動して、縦向き回転ベルトの受け部内の貝を当該縦向き回転ベルトに設けられた整列具に押し当てて、貝の孔あけ部を自動的に位置決めできる、
ことを特徴とする貝孔あけ装置。
【請求項１７】
請求項１４記載の貝孔あけ装置において、
貝搬送体の支持体が固定であり、当該支持体で支持されている貝と、縦向き回転ベルトの走行により縦向き回転ベルトに設けられている整列具に押し当てて、貝の孔あけ部を自動的に位置決めできる、
ことを特徴とする貝孔あけ装置。
【請求項１８】
請求項１０から請求項１７のいずれか１項に記載の貝孔あけ装置において、
貝搬送体が無端状の縦向き回転ベルトと横向き回転ベルトによる支持体を備え、縦向き回転ベルトは貝を縦向きに立て掛けることができ、横向き回転ベルトは縦向き回転ベルトに立て掛けた貝の耳の底面を支持することができ、縦向き回転ベルトと横向き回転ベルトは同方向又は逆方向に回転走行可能である、
ことを特徴とする貝孔あけ装置。
【請求項１９】
請求項１５から請求項１８のいずれか１項に記載の貝孔あけ装置において、
整列具が位置決め部を備え、位置決め部は貝の耳と殻との交差部の角度と同じ又は略同じ角度で「く」字状又は略「く」字状、又は「Ｌ」字状又は略「Ｌ」字状であり、少なくとも貝搬送体で搬送される貝の交差部が当該整列具に当たって、貝の孔あけ部が自動的に位置決めされるもの、又は、棒状或いは筒状であり、少なくとも貝搬送体で搬送される貝の交差部が当該整列具に当たって、貝の孔あけ部が自動的に位置決めされるものである、
ことを特徴とする貝孔あけ装置。
【請求項２０】
請求項１５から請求項１９のいずれか１項に記載の貝孔あけ装置において、
整列具が貝の大きさに合わせて高さ調節可能であり、貝の孔あけ部が整列具の位置決め部により自動的に位置決めされる、
ことを特徴とする貝孔あけ装置。
【請求項２１】
請求項１５から請求項２０のいずれか１項に記載の貝孔あけ装置において、
整列具が受け部内に投入された貝の背面を支持することができる背面支持部を備え、背面支持部は貝搬送体での貝搬送中は貝搬送体に重なって貝を支持し、貝搬送体の回転方向転換部において当該貝搬送体の外側に突出して、支持されている貝を貝搬送体の外に排出することができ、貝搬送体の回転方向転換後はそれら貝搬送体の回転に伴って元の位置に戻って搬送体に重なるようにすることができる、
ことを特徴とする貝孔あけ装置。
【請求項２２】
請求項１０から請求項２１のいずれか１項に記載の貝孔あけ装置において、
貝搬送体が案内具を備え、案内具は貝搬送体の受け部に投入される貝を整列具側に送る送り部を備え、案内具は整列具側に移動させて整列具との間隔調節可能である、
ことを特徴とする貝孔あけ装置。
【請求項２３】
請求項１０から請求項２２のいずれか１項に記載の貝孔あけ装置において、
貝搬送体の外側対向位置に側壁を設けて、貝搬送体の受け部内の貝が受け部の外側に倒れるのを側壁で阻止可能である、
ことを特徴とする貝孔あけ装置。
【請求項２４】
請求項１０から請求項２３のいずれか１項に記載の貝孔あけ装置において、
貝搬送体の上端側が電動ドリルの前進移動方向に下り傾斜して、受け部内の貝が貝搬送体に寄り掛ることができる、
ことを特徴とする貝孔あけ装置。
【請求項２５】
請求項１６から請求項２４のいずれか１項に記載の貝孔あけ装置において、
受け部が上下に貫通した箱状であり、上方貫通部が投入口、下方貫通部が貝の耳が突出して支持体に支持される突出口であり、前記箱状の受け部が貝搬送体の走行方向に二以上設けられた、
ことを特徴とする貝孔あけ装置。
【請求項２６】
貝の孔あけ部に回転中のドリル刃で孔をあける貝孔あけ装置において、
貝孔あけ装置を二組備え、夫々の貝孔あけ装置が、請求項１０から請求項２５のいずれか１項に記載の貝孔あけ装置である、
ことを特徴とする貝孔あけ装置。
【請求項２７】
請求項２６記載の貝孔あけ装置において、
二組の貝孔あけ装置の二本の貝搬送体が横に二列に並べて配置され、又は内側と外側に二重に配置され、又は上下に二段に配置され、各組の保持具は夫々の貝搬送体に載せた貝を保持できるように貝搬送体と対向させて配置された、
ことを特徴とする貝孔あけ装置。
【請求項２８】
請求項２６又は請求項２７記載の貝孔あけ装置において、
各組の駆動機構、駆動源は一台が二組共用である、
ことを特徴とする貝孔あけ装置。
【発明の詳細な説明】
【技術分野】
【０００１】
本願発明は帆立貝をはじめとする各種貝（主として二枚貝）の所定位置（帆立貝の場合は耳）に孔をあける方法と孔あけ装置に関するものである。
【背景技術】
【０００２】
帆立貝を耳吊り養殖する場合、帆立貝の耳に養殖用の貝係止具（「てぐす」を含む。）を差し込むための孔をあけている。孔あけ機として、本件出願人が先に出願した孔あけ機がある。特許文献１の孔あけ機は、保持具が無端チェーンに一定間隔で多数設けられており、それら保持具は二枚一対の挟着片が対向配置されて構成され、作業者が帆立貝を、耳を下にして二枚一対の挟着片間に差し込むと、帆立貝がそれら挟着片間に自動的に挟まれて所定位置まで搬送され、搬送方向先方に配置されているモータが帆立貝に向かって前進し、モータの先に装備されている回転中のドリルが帆立貝の耳に孔をあけ、孔あけが終了するとモータが後退してドリルが帆立貝の孔から抜けるようにしてある。前記挟着片間への帆立貝の差し込み、搬送、モータの前進、ドリルによる帆立貝への孔あけ、孔あけ後のモータの後退を繰り返して、連続搬送される帆立貝に１個ずつ孔をあけることができる。孔あけ完了後は挟着片が開いて、帆立貝が挟着片の間から自動的に落下する。
【０００３】
特許文献２の孔あけ機は、孔あけ時に貝の搬送を一時減速させるため、孔あけの作業効率が悪かった。
【先行技術文献】
【特許文献】
【０００４】
【特許文献１】特開２００８−１５４４０５号公報
【特許文献２】特公平８−４４３５号公報
【発明の概要】
【発明が解決しようとする課題】
【０００５】
従来の孔あけ機では、二枚一組の挟着片間の間隔が狭いため、貝を手で差し込むためには差し込むタイミングが重要であると同時に、熟練が必要であり、作業員の経験や技能によって、貝の差し込み枚数や孔あけ枚数に差が出る。挟着片が高速移動している場合は、全部の挟着片間に差し込むことができず、空の挟着片がありでき、差込み効率が悪かった。熟練者であっても神経の使う作業であり、長時間の作業は重労働であった。
【課題を解決するための手段】
【０００６】
本願発明の解決課題は、貝を供給し易く、供給された貝の位置が自動的に修正され、帆立貝の耳の一定位置（ほぼ一定位置を含む）に、孔をあけることがきる貝孔あけ方法とそれに使用する孔あけ装置を提供することにある。また、孔あけ装置を二以上設け、それら二以上の孔あけ装置の貝供給部に貝を供給して時間当たりの孔あけ総数を多くし、従来の孔あけ機よりも貝を載せやすくして、作業者の労力負担を軽減できるようにもすることにもある。
【０００７】
本願発明の貝孔あけ方法は、搬送中の貝の孔あけ部（耳と殻の交差部付近）に回転中のドリル刃で孔をあける貝への孔あけ方法において、回転移動する二本の貝搬送体の夫々に、貝を一個ずつ縦向き（蝶番側を下向き、斜め下向きを含む：明細書、特許請求の範囲において同じ）に載せて夫々の貝搬送体により縦向きに搬送し、夫々の貝搬送体で搬送中に貝の孔あけ部を所定向きに位置決めし、それら貝を位置決め状態に保持具で保持して搬送を継続し、その保持搬送中の貝の搬送方向と同じ方向に且つ貝搬送速度と同じ速度で、夫々の電動ドリルを同期移動させ、その同期移動中に夫々の電動ドリルを前進させて、夫々の電気ドリルの回転中のドリル刃で前記夫々の貝搬送体で保持搬送中の貝の孔あけ部に孔をあけ続け、孔あけ完了後に夫々のドリル刃を後退移動させて貝から抜いて、夫々の電動ドリルを元の位置に戻り移動させ、それら電動ドリルを次に位置決め状態に保持搬送されてくる貝と同方向に同速で同期移動させて、当該貝の孔あけ部に夫々のドリル刃で孔をあけ続け、孔あけ完了後に貝からドリル刃を抜き、電動ドリルを戻り移動させて、二本の貝搬送体で順次搬送されてくる貝に孔をあけ、これを繰り返す方法である。
【０００８】
本願発明の貝孔あけ方法は、前記貝孔あけ方法において、二本の貝搬送体の夫々に貝を載せて搬送し、搬送中に貝に孔を開ける貝孔あけ方法であり、各組の貝搬送体は、チェーン、ベルト等の無端回転体に受け部が設けられ、各列の貝搬送体の受け部に貝を一個ずつ縦向きに載せ、それら貝を貝搬送体の走行により縦向きに搬送して整列具と当てて、受け部内の貝の孔あけ部を所定向きに位置決めし、それら貝を位置決め状態に保持具で保持して縦向きで搬送を継続し、その保持搬送中の貝の搬送方向と同じ方向に且つ貝搬送速度と同じ速度で、夫々の電動ドリルを同期移動させ、同期移動中に夫々の電動ドリルを前進移動させて、夫々の電動ドリルの回転中のドリル刃で前記夫々の貝搬送体で保持搬送中の貝の孔あけ部に孔をあけ続け、孔あけ完了後に夫々のドリル刃を後退移動させて貝から抜いて、夫々の電動ドリルを元の位置に戻り移動させ、それら電動ドリルを、位置決め状態に保持搬送されてくる貝と同方向に同速で同期移動させて、当該貝の孔あけ部に夫々のドリル刃で孔をあけ続け、孔あけ完了後に貝からドリル刃を抜き、電動ドリルを戻り移動させて、二本の貝搬送体で順次搬送されてくる貝に孔をあけ、これを繰り返すこともできる。
【０００９】
本願発明の貝孔あけ方法は、前記いずれかの貝孔あけ方法において、電動ドリルの後退移動、戻り移動を、前進移動、横移動よりも高速移動させて、ドリル刃を貝から抜け易くし、電動ドリルを次の貝への孔あけ開始前に元の位置に戻すのが好ましい。
【００１０】
本願発明の貝孔あけ方法は、前記いずれかの貝孔あけ方法において、貝の投入、搬送は、貝の白い面（養殖中の付着物が少ない面）を電動ドリルと反対側に向けて行うのが望ましいが、それと逆向きにすることもできる。
【００１１】
本願発明の貝孔あけ方法は、前記いずれかの貝孔あけ方法において、貝搬送体の受け部に貝を一個ずつ縦向きに載せて貝の蝶番側を下方から支持体で支持し、支持された貝を貝搬送体の走行によりその走行方向に搬送し、搬送中の貝と貝搬送体に設けられた整列具を当てて、貝の孔あけ部を自動的に位置決めするようにしてもよい。
【００１２】
本願発明の貝孔あけ方法は、前記貝孔あけ方法において、支持体を走行体とし、その支持体を貝搬送体の走行方向と同方向に、その走行速度よりも高速走行させて、貝搬送体で搬送される貝と貝搬送体の走行方向先方の整列具を当てて貝の孔あけ部を自動的に位置決めすることができる。
【００１３】
本願発明の貝孔あけ方法は、前記貝孔あけ方法において、支持体を走行体とし、その支持体を搬送体の走行方向と逆方向に走行させて、貝搬送体で搬送される貝と貝搬送体に設けられた整列具を当てて貝の孔あけ部を自動的に位置決めすることもできる。
【００１４】
本願発明の貝孔あけ方法は、前記貝孔あけ方法において、支持体を固定とし、貝搬送体の走行により受け部内の貝を搬送して、走行方向後方にある整列具と貝搬送体で搬送される貝を当てて貝の孔あけ部を自動的に位置決めすることもできる。
【００１５】
本願発明の貝孔あけ装置は、貝の孔あけ部に回転中のドリル刃で孔をあける貝孔あけ装置を二組備えている。各組の貝孔あけ装置は少なくとも、貝搬送体（貝を縦向きで搬送する縦向き回転ベルトとその貝の蝶番側を下方から支持する横向き回転ベルト）と、貝搬送体で搬送中の貝を保持する保持具と、搬送中の貝に孔をあける電動ドリルと、電動ドリルを駆動する駆動機構と、駆動機構を駆動する駆動源を備える。各組の貝搬送体は貝を一個ずつ縦向きに投入できる受け部を貝搬送体の走行方向に二以上備え、各受け部は上方開口の投入口を備え、各組の電動ドリルは各組の貝搬送体で搬送される貝と同方向に同速で同期移動して、搬送中の貝の孔あけ部にドリル刃で孔をあけ続け、孔あけ完了後に貝から抜けてから元の位置に戻って、貝搬送体により次に搬送されてくる貝の孔あけ部に孔をあけることができるようにしてある。
【００１６】
前記保持具は、貝搬送体で搬送される貝と同方向に同速で同期移動して、電動ドリルのドリル刃が貝の孔あけ部に当たる前に搬送中の貝を保持し続け、電動ドリルは、前記保持具で保持され続けて搬送される貝と同方向に同速で同期移動して、保持搬送中の貝の孔あけ部にドリル刃で孔をあけ続け、ドリル刃が孔あけ完了後に貝から抜けてから元の位置に戻って、夫々の貝搬送体により次に搬送されてくる貝の孔あけ部に孔をあけるようにすることができる。
【００１７】
前記二組の貝孔あけ装置の二本の貝搬送体は、横に二列に並べて配置することも、内側と外側に二重に配置することも、上下に二段に配置することもできる。いずれの場合も、二本が同方向に移動して作業者が両搬送体に貝を載せることができるようする。二本の貝搬送体は、一人の作業者が、両貝搬送体に貝を載せることができるように接近させて配置することも、二人の作業者が別々に貝を載せることができるように配置することもできる。いずれの配置の場合も、前記保持具は夫々の貝搬送体に載せた貝を保持できるように貝搬送体と対向させて配置するのが望ましい。
【００１８】
各組の電動ドリルと保持具は、貝搬送体に対向して配置され、電動ドリルと保持具を駆動させる駆動機構は電動ドリルと保持具を一緒に又は別々に貝搬送体側に前進移動させ、貝搬送体の走行方向へ横移動させ、貝搬送体から離れる方向へ後退移動させ、前進前の元の位置へ戻り移動させることができる。駆動機構、駆動源は可能であれば一台を二組に共用（兼用）することもできる。
【００１９】
本願発明の貝孔あけ装置は、前記いずれかの貝孔あけ装置において、貝搬送体が整列具を備え、整列具は、貝搬送体の走行により搬送される受け部内の貝と当たって、貝の孔あけ部を自動的に位置決めさせることができる。
【００２０】
本願発明の貝孔あけ装置は、前記いずれかの貝孔あけ装置において、縦向きで搬送される受け部内の貝の蝶番側をその下方から支持する支持体を備え、支持体は固定又は移動可能なものである。
【００２１】
本願発明の貝孔あけ装置は、前記貝孔あけ装置において、支持体が横移動可能な走行体であり、貝搬送体と同方向に貝搬送体よりも高速移動して、受け部内の貝を貝搬送体に設けられた整列具に当てて、貝の孔あけ部を自動的に位置決めできるようにすることができる。
【００２２】
本願発明の貝孔あけ装置は、前記貝孔あけ装置において、支持体が横移動可能な走行体であり、搬送体と逆方向に移動して、受け部内の貝を貝搬送体に設けられた整列具に当てるか、又は受け部内の貝に貝搬送体に設けられた整列具を当てて、貝の孔あけ部を自動的に位置決めできるようにすることもできる。
【００２３】
本願発明の孔あけ装置は、前記貝孔あけ装置において、支持体が固定であり、固定の支持体で支持されている貝と、貝搬送体の走行により搬送体に設けられている整列具を当てて、貝の孔あけ部を自動的に位置決めできるようにすることができる。
【００２４】
本願発明の貝孔あけ装置は、前記いずれかの貝孔あけ装置において、貝搬送体が無端状の縦向き回転ベルトと横向き回転ベルトを備え、縦向き回転ベルトは貝を縦向きに立て掛けることができ、横向き回転ベルトは縦向き回転ベルトに立て掛けた貝の耳の底面を支持することができ、縦向き回転ベルトと横向き回転ベルトは同方向又は逆方向に回転走行可能とすることもできる。
【００２５】
本願発明の貝孔あけ装置は、前記いずれかの貝孔あけ装置において、整列具が位置決め部を備え、位置決め部は貝の耳と殻との交差部の角度と同じ又は略同じ角度で「く」字状又は略「く」字状、又は「Ｌ」字状又は略「Ｌ」字状であり、少なくとも貝搬送体で搬送される貝の交差部が当該整列具に当たって、貝の孔あけ部が自動的に位置決めされるようにしたものである。前記整列具は棒状或いは筒状であり、少なくとも貝搬送体で搬送される貝の交差部が当該整列具に当たって、貝の孔あけ部が自動的に位置決めされるものであってもよい。
【００２６】
本願発明の貝孔あけ装置は、前記いずれかの貝孔あけ装置において、整列具が貝の大きさに合わせて高さ調節可能であり、貝の孔あけ部が整列具の位置決め部により自動的に位置決めされるようにしてある。
【００２７】
本願発明の貝孔あけ装置は、前記いずれかの貝孔あけ装置において、整列具が受け部内に投入された貝の背面を支持することができる背面支持部を備え、背面支持部は貝搬送体での貝搬送中は貝搬送体に重なって貝を支持し、貝搬送体の回転方向転換部において当該貝搬送体の外側に突出して、支持されている貝を貝搬送体の外に排出することができ、貝搬送体の回転方向転換後はそれら貝搬送体の回転に伴って元の位置に戻って搬送体に重なるようにすることができる。
【００２８】
本願発明の貝孔あけ装置は、前記いずれかの貝孔あけ装置において、貝搬送体が案内具を備え、案内具は貝搬送体の受け部に投入される貝を整列具側に送る送り部を備え、案内具は整列具側に移動させて整列具との間隔調節可能とすることができる。
【００２９】
本願発明の貝孔あけ装置は、前記いずれかの貝孔あけ装置において、貝搬送体の外側対向位置に側壁を設けて、貝搬送体の受け部内の貝が受け部の外側に倒れるのを側壁で阻止可能としてある。
【００３０】
本願発明の貝孔あけ装置は、前記いずれかの貝孔あけ装置において、貝搬送体の上端側が電動ドリルの前進移動方向に下り傾斜して、受け部内の貝が貝搬送体に寄り掛ることができるようにしてある。
【００３１】
本願発明の貝孔あけ装置は、前記いずれかの貝孔あけ装置において、受け部が上下に貫通した箱状であり、上方貫通部が投入口、下方貫通部が貝の耳が突出して支持体に支持される突出口であり、前記箱状の受け部が搬送体の走行方向に二以上設けられたものである。
【発明の効果】
【００３２】
本願発明の貝孔あけ方法及び貝孔あけ装置は次のような効果がある。
（１）二本の貝搬送体を搬送させて、夫々の貝搬送体に貝を載せて孔あけすることができるので、二本の貝搬送体の搬送速度を一本の場合の半分に減速しても、一本の場合と同数の孔あけができるため、一人の作業者でも貝搬送体に貝を載せ易く、貝載せ作業が容易になり、未熟練者であっても容易に載せることができ、疲労も少ない。
（２）二本の貝搬送体に二人の作業者が貝を載せることもできるので、孔あけ作業性が倍増する。
（３）二本の貝搬送体を外側と内側に配置すれば、二本の貝搬送体を二列に設ける場合よりも、貝孔あけ装置を小型化できる。
（４）二組の貝孔あけ装置を上下二段に配置すれば、一組の貝孔あけ装置を設置するスペースに二組の貝孔あけ装置を設置でき、作業場を有効活用できる。
（５）受け部の投入口が上向きに開口し、投入口及び受け部が貝の横幅よりも横長であるため、回転中の貝搬送体に貝を縦向きにして載せ易く、貝載せ作業が容易になり、未熟練者であっても容易に載せることができ、疲労も少ない。また、搬送中の受け部内の貝の傾きを直したりすることもできる。
（６）受け部に投入した貝が搬送中に整列具で自動的に整列されて、貝の孔あけ部が所定の向き（位置）に整列される（位置決めされる）ため、貝の孔あけ部に孔をあけることができる。
（７）位置決めされた貝を、保持具により、位置決めされた向きに保持することができるので、貝の孔あけ部への孔あけが確実にできる。
（８）保持具及び電動ドリルが前進移動、横移動、後退移動、戻り移動でき、横移動は搬送体の走行と同期して行われるため、貝搬送体で貝を搬送しながら電動ドリルで孔をあけることができ、貝の孔あけ作業の効率が向上する。
（９）整列具を高さ調節可能とした場合は、整列具の高さを貝の大きさに合わせて調節して、貝の大きさに拘わらず貝の耳の略一定箇所に孔をあけることができる。
（１０）貝搬送体の回転方向転換時に、整列具の背面支持部が貝搬送体の外側に突出するようにした場合は、貝搬送体の回転方向転換時に貝を外側に自動的に排出することができ、孔あけ後の貝の回収が容易且つ確実にできる。
（１１）受け部に投入する貝を整列具側に送る案内具を設けた場合は、受け部に投入された貝が整列具で整列され易くなる。
（１２）案内具を整列具側に移動させて、整列具との間隔調節可能とした場合は、貝の大きさに合わせて間隔調整して、貝が縦向きのまま整列具で整列され易くすることができる。
（１３）貝搬送体の外側に側壁を設けた場合は、貝搬送体の受け部内の貝が貝搬送体の外側に倒れるのを阻止することができ、受け部内の貝が貝搬送体の回転により確実に搬送される。
（１４）貝搬送体の上端側を後方傾斜させて、受け部内の貝が貝搬送体に寄り掛ることができるようにした場合は、受け部内の貝の搬送が安定し、孔あけもし易くなる。
【図面の簡単な説明】
【００３３】
【図１】本願発明の貝孔あけ装置の一例を示す平面図。
【図２】本願発明の貝孔あけ装置において、（ａ）は貝搬送体の回転方向転換部の一例を示す斜視図、（ｂ）は案内具の一例を示す斜視図、（ｃ）は整列具の一例を示す斜視図。
【図３】本願発明の貝孔あけ装置の貝搬送体の一部正面図。
【図４】本願発明の貝孔あけ装置の貝搬送体の一部正面図であって、整列具を図３の整列具よりも高くした場合の正面図。
【図５】本願発明の貝孔あけ装置の貝搬送体付近の一部平面図。
【図６】本願発明の貝孔あけ装置の保持具と電動ドリルの位置関係を示すものであり、（ａ）は保持具が貝を押している状態の斜視図、（ｂ）は保持具が貝を押し、電動ドリルで貝の耳に孔をあけている状体の斜視図。
【図７】（ａ）〜（ｄ）は本願発明の貝孔あけ装置における保持具と電動ドリルの動作説明の平面図。
【図８】本願発明の貝孔あけ装置における貝搬送体の後傾状態を示すもので、孔あけ前の側面図。
【図９】本願発明の貝孔あけ装置における貝搬送体の後傾状態を示すもので、孔あけ中の側面図。
【図１０】本願発明の貝孔あけ装置の他例を示す正面図。
【図１１】本願発明の貝孔あけ装置の他例を示すもので、（ａ）は概要側面図、（ｂ）、（ｃ）は貝を溜めておくホッパーの異なる例の説明図。
【図１２】本願発明の貝孔あけ装置の他例であり、二本の貝搬送体を併設した場合の説明図。
【図１３】本願発明の貝孔あけ装置の他例であり、二本の貝搬送体を内側と外側に二重に配置した場合の説明図。
【図１４】本願発明の貝孔あけ装置の他例であり、貝搬送体を上下に配置した場合の説明図。
【発明を実施するための形態】
【００３４】
［貝孔あけ方法の実施形態］
本願発明の貝孔あけ方法を、貝が帆立貝の場合を一例として説明する。本願発明の貝孔あけ装置は貝搬送体６０、電動ドリル５、保持具６、駆動機構７等を備えた孔あけ装置が二組の場合であるが、以下の説明では、説明の便宜上、孔あけ装置が一組の場合を一例とする。
【００３５】
１．手作業により、帆立貝Ａ（図１）を、一個ずつ、縦向きにして、回転中の縦向き回転ベルト１の受け部８（図１、図２（ａ））に載せて立て掛け、横回転ベルト２でその帆立貝Ａの耳の底面を支持する（図２、図３）。
２．縦向き回転ベルト１の回転により受け部８を回転させて、受け部８内の帆立貝Ａを縦向きのまま横方向に搬送する。
３．前記搬送中の帆立貝Ａの耳Ｃと殻Ｄの交差部付近（孔あけ部Ｈ）を、整列具４（図２）で所定の向き（位置）に整列（位置決め）させる。
４．位置決めさせた帆立貝Ａを、保持具６（図６）で縦向き回転ベルト１に押し付けて、整列させた向きに保持する。
５．搬送される帆立貝Ａに対向配置してある電動ドリル５を前進移動させて、電動ドリル５の回転中のドリル刃９で、搬送中の帆立貝Ａの孔あけ部Ｈ（図３）に孔をあける。この場合、電動ドリル５を帆立貝Ａの搬送方向に同期して（等速で）横移動させて、搬送中の帆立貝Ａの孔あけ部Ｈに孔をあけ続ける。
６．孔あけ完了後も、保持具６での帆立貝Ａの保持（縦向き）回転ベルト１への押し付け）を継続し、電動ドリル５を後退移動させてドリル刃９を帆立貝Ａから抜き取り、抜き取り後に保持具６を後退させて貝の保持（縦回転ベルトへの押し付け）を開放する。
７．帆立貝Ａからドリル刃９を抜いた電動ドリル５及び保持具６を、前進移動前の元の位置に戻り移動させる。
８．縦向き回転ベルト１の回転により次の帆立貝Ａが送られてくると、保持具６と電動ドリル５を前記のように前進移動、横移動させて帆立貝Ａの孔あけ部Ｈに孔をあけ、孔あけ後に後退移動、戻り移動させる。
９．前記１〜８の動作を繰返して、縦向き回転ベルト１で順次送られてくる帆立貝Ａにドリル刃９で孔をあける。
１０．前記電動ドリル５、保持具６の前記前進移動−横移動−後退移動−戻り移動は連続して循環移動し、元の位置に戻り移動した電動ドリル５及び保持具６は次の孔あけのために連続して前進移動するが、元の位置で一時停止させて次の孔あけのために待機状態とし、その後に次の孔あけのために前進移動するようにすることもできる。
【００３６】
本願発明の貝孔あけ方法は、次のようにすることもできる。
１．チェーン、ベルト等の無端状の貝搬送体６０の縦向き回転ベルト１に設けられた受け部８に、帆立貝Ａを一個ずつ縦向きに投入する。
２．前記帆立貝Ａを縦向き回転ベルト１の走行により縦向きに搬送して、整列具４（図３）に当てて（押し当てて）、帆立貝Ａの孔あけ部Ｈを位置決めする。
３．前記帆立貝Ａを保持具６で位置決め状態に保持しながら縦向きで搬送し、その搬送中に電動ドリル５のドリル刃９で貝の孔あけ部Ｈに孔をあけ続ける。
４．孔あけ完了後に、電動ドリル５のドリル刃９を帆立貝Ａから抜いて戻り移動させる。
５．ドリル刃９を抜いてから保持具６による帆立貝Ａの保持を開放して、保持具６を戻り移動させる。
【００３７】
前記貝孔あけ方法では、前記２において、搬送中の帆立貝Ａに整列具４を押し当てて、帆立貝Ａの孔あけ部Ｈを位置決めすることもできる。
【００３８】
本願発明の貝孔あけ方法では、電動ドリル５の後退移動、戻り移動を、前記前進移動、横移動よりも高速移動させて、ドリル刃９を帆立貝Ａから抜け易くし、電動ドリル５を次の帆立貝Ａへの孔あけ開始前に元の位置に戻すこともできる。
【００３９】
本願発明の貝孔あけ方法では、前記帆立貝Ａの投入、搬送は、帆立貝の白い面（養殖中の付着物が少ない面）を電動ドリル５と反対側に向けて行うのが望ましいが、それと逆向きにすることもできる。
【００４０】
本願発明の貝孔あけ方法では、縦向き回転ベルト１の受け部８に帆立貝Ａを一個ずつ縦向きに投入して帆立貝Ａの蝶番Ｂ側を下方から横向き回転ベルト２で支持し、縦向き回転ベルト１の走行によりその走行方向に帆立貝Ａを搬送し、搬送中の帆立貝Ａを縦向き回転ベルト１に設けられた整列具４に当てて、帆立貝Ａの孔あけ部Ｈを自動的に位置決めすることもできる。
【００４１】
本願発明の貝孔あけ方法では、横向き回転ベルト２を、縦向き回転ベルト１の走行方向と同方向に、その走行速度よりも高速走行させて、縦向き回転ベルト１で搬送される帆立貝Ａを、縦向き回転ベルト１の走行方向先方の整列具４に当てて帆立貝Ａの孔あけ部Ｈを位置決めすることもできる。
【００４２】
本願発明の貝孔あけ方法では、横向き回転ベルト２を縦向き回転ベルト１の走行方向と逆方向に走行させることもできる。この場合も、縦向き回転ベルト１で搬送される帆立貝Ａの交差部に、縦向き回転ベルト１の整列具４が当接して、帆立貝Ａの孔あけ部Ｈが位置決めされるようにすることもできる。
【００４３】
本願発明の貝孔あけ方法では、支持体２を固定（走行できない板材、走行可能ではあるが走行させない走行体）とすることもできる。この場合も、縦向き回転ベルト１の走行により受け部８内の帆立貝Ａを搬送して、縦向き回転ベルト１の整列具４と帆立貝Ａの交差部が当接して帆立貝Ａの孔あけ部Ｈが位置決めされるようにすることもできる。
【００４４】
［貝孔あけ装置の実施形態１］
（全体構成）
本願発明の貝孔あけ装置を、貝が帆立貝の場合を一例として、図面に基づいて説明する。本願発明の貝孔あけ装置は貝搬送体６０、電動ドリル５、保持具６、駆動機構７等の孔あけに必要な各種部材を二組備えたものであるが、一組の場合を一例として以下に説明する。
【００４５】
図示した貝孔あけ装置は、無端状の縦向き回転ベルト１（図１、図２（ａ））と、無端状の横向き回転ベルト２（図２（ａ））と、案内具３（図２（ｂ））と、整列具４（図２（ｃ））と、電動ドリル５（図１）と、保持具６（図１）と、駆動機構７（図１）を備えている。前記縦向き回転ベルト１と横向き回転ベルト（支持体）２で貝搬送体６０が構成されている。
【００４６】
この貝孔あけ装置は、縦向き回転ベルト１及び横回転ベルト２の回転により、縦向き回転ベルト１の受け部８（図１、図２（ａ））内に投入された帆立貝Ａ（図３）を、縦向き回転ベルト１及び横回転ベルト２の回転方向に搬送する。この場合、帆立貝Ａの背面が縦向き回転ベルト１に凭れ掛って支持され（図８）、帆立貝Ａの蝶番Ｂの底面が横向き回転ベルト２で支持されて（図８）、帆立貝Ａが縦向きで搬送される。搬送中に帆立貝Ａ（図３）の耳Ｃと殻Ｄの交差部Ｅ（図３）付近の孔あけ部Ｈが、整列具４により一定の向きに揃えられる。その帆立貝Ａを保持具６で縦向き回転ベルト１に押し付けて、先に揃えた向きに保持しながら、帆立貝Ａの交差部Ｅの近くの孔あけ部Ｈに、電動ドリル５を押し込んで孔をあけることができるようにしてある。
【００４７】
保持具６は電動ドリル５で帆立貝Ａに孔をあける前に前進移動して（図７（ａ））、帆立貝Ａを縦向き回転ベルト１に押し付けて、帆立貝Ａを位置決めされた状態に保持する（図７（ｂ））。電動ドリル５のドリル刃９は帆立貝Ａに押し当てられて（図７（ｃ））、孔あけ部Ｈに孔をあける。この場合、電動ドリル５及び保持具６を帆立貝Ａの搬送と同期させて帆立貝Ａの移動方向に横移動させて（図７（ｂ）〜（ｄ））、縦向き回転ベルト１と横向き回転ベルト２で搬送中の帆立貝Ａに孔をあけ続けることができるようにしてある。電動ドリル５は孔あけ終了完了後に後退移動して帆立貝Ａから抜けて、前進移動前の元の位置に戻るようにしてある（図７（ａ））。この孔あけ装置では、受け部８（図２（ａ））内への帆立貝Ａの投入、投入後の搬送、保持具６での縦向き回転ベルト１への帆立貝Ａの押し付け（保持）、電動ドリル５のドリル刃９での孔あけを繰返し行うことができる。
【００４８】
（縦向き回転ベルト）
縦向き回転ベルト１は無端状（リング状）であり、肉厚方向内面に凹凸１０（図２（ａ））が一定間隔で形成されたタイミングベルトであり、肉厚方向外面に突起１１（（図２（ａ）））が一定間隔で突設されている。この縦向き回転ベルト１は二つの縦回転ドラム１２（図１）の外周に巻かれて、縦回転ドラム１２の凹凸１３（図２（ａ））と縦向き回転ベルト１の凹凸１０が嵌合し、縦回転ドラム１２が回転すると縦向き回転ベルト１が矢印Ｘ方向（図２（ａ））に回転（二つの縦回転ドラム１２の周囲を周回）するようにしてある。
【００４９】
縦向き回転ベルト１の隣接する二つの突起１１（図２（ａ））のうち、回転方向後方の突起１１の内側には案内具３（図２（ａ））が、回転方向先方の突起１１の内側には整列具４（図２（ａ））が対向して取付けられており、対向する案内具３と整列具４の間の空間を、帆立貝Ａを投入する受け部８（図２（ａ））としてある。受け部８の上方は帆立貝Ａを投入する投入口１４（図３）となっている。図３に示すように、受け部８は縦向き回転ベルト１の回転方向に横長であり、その横幅は帆立貝Ａの殻Ｄ（図３）の横幅よりも広くして、帆立貝Ａを投入し易くしてある。縦向き回転ベルト１は、図８に示すように、その上端側を電動ドリル５の前進移動方向に傾斜させて、縦向き回転ベルト１の受け部８内の帆立貝Ａが縦向き回転ベルト１に寄り掛ることができるようにしてある。
【００５０】
（横向き回転ベルト）
横向き回転ベルト２（図２（ａ））は無端状（リング状）の平ベルトであり、二つの横回転ドラム１５に巻かれて、横回転ドラム１５が回転すると矢印Ｙ方向（図２（ａ））に横回転するようにしてある。
【００５１】
横向き回転ベルト２は縦向き回転ベルト１の周回方向往路側（図１の作業者側と反対側）であって、図１の領域Ｌに図２（ａ）のように横向きに配置してある。この横向き回転ベルト２は縦向き回転ベルト１の下端面とほぼ同じ高さにして（図２（ａ））、縦向き回転ベルト１の受け部８内の帆立貝Ａの蝶番Ｂの底面を支持できる（図６（ａ）、（ｂ））ようにしてある。この横向き回転ベルト２は縦向き回転ベルト１と同じ方向に回転し、縦向き回転ベルト１の回転速度よりも高速回転できるようにしてある。この場合、図３のように、帆立貝Ａをその耳Ｃを下向き、殻Ｄを上向き（縦向き）にして搬送して、帆立貝Ａの耳Ｃの側面が整列具４の受け面１６（図３）に確実に突き当たって、帆立貝Ａの耳Ｃと殻Ｄとの交差部Ｅが整列具４の位置決め部１７の略上にのり上げて、孔あけ部Ｈが一定（略一定）の向き（位置）に整列されるようにしてある。
【００５２】
（案内具）
案内具３（図２（ａ）、（ｂ）、図３）は、手作業により縦向き回転ベルト１の受け部８に一個ずつ投入された帆立貝Ａを、整列具４側に案内する（送る）ものであり、受け部８に投入された帆立貝Ａが下り傾斜の送り部１８に沿って滑落して、整列具４側に自動的に寄るようにしてある。
【００５３】
案内具３は、図２（ｂ）に示すように、Ｌ字状の支持板１９と、その前面に取付けられたガイド材２０とから構成されている。支持板１９は固定板部２１とガイド材取付け部２２がＬ字状に形成されており、固定板部２１がその止め孔２３（丸孔）に差し込まれたボルト（図示せず）と、そのボルトに螺合されたナット（図示せず）とにより、縦向き回転ベルト１の突起１１の側面に固定されており、ガイド材取付け部２２は縦向き回転ベルト１に固定されずにフリーの状態で縦向き回転ベルト１に重ねてある。
【００５４】
ガイド材２０は図２（ｂ）に示すように、水平な上面２４と、上面２４に連続する下り斜面１８と、その下り斜面１８に連続する底板２７と、背面板２８を備えている。背面板２８は上面２４、下り斜面１８、側面２６、底板２７の内側奥に設けられている。背面板２８は前記支持板１９のガイド材取付け部２２の手前に重ねてあり、ガイド材取付け部２２に開口されている止め孔２９（図２（ｂ））から背面板２８の横長孔３１（図２（ａ））に止め具（ネジやボルト）３０（図２（ａ））を差し込んで、その止め具（ボルト）３０に螺合したナット３２（図２（ａ））でガイド材取付け部２２に固定してある。
【００５５】
図２（ａ）のナット３２を緩めると、背面板２８（図２（ｂ））を横長孔３１の長手方向に横スライドさせて、案内具３を整列具４に接近させたり、離したりすることができるようにしてある。接近させることにより整列具４との間隔が狭まって、受け部８の投入口１４の間口（横幅）が狭くなって、殻Ｄの小さな帆立貝Ａを投入するのに適するようになる。離すことによって整列具４との間隔が広がり、投入口１４の間口（横幅）が広くなって、殻Ｄ（図３）の大きな帆立貝Ａを投入するのに適するようになる。
【００５６】
支持板１９とガイド材２０を前記取付け構造とすることにより、縦向き回転ベルト１の回転に伴って、縦向き回転ベルト１の突起１１が縦回転ドラム１２の外側（方向転換部）に差し掛かると、支持板１９のガイド材取付け部２２が、図２（ａ）に示すように、縦向き回転ベルト１から離れて外側に突出して、縦向き回転ベルト１が縦回転ドラム１２の外側を回転できるようにしてある。縦向き回転ベルト１の回転が進行して突起１１が縦回転ドラム１２の外側を回り終えると（方向転換部を通過し終えると）、ガイド材取付け部２２が縦向き回転ベルト１に重なるようにしてある。
【００５７】
（整列具）
整列具４は図２（ｃ）に示すように、緩やかな角度の位置決め部１７を備えており、縦向き回転ベルト１の受け部８に投入されて搬送される帆立貝Ａの耳Ｃと殻Ｄとの交差部Ｅ（図３）が位置決め部１７の略上に乗り上げて位置合わせされて、帆立貝Ａの向きが一定（略一定）の向きに自動的に揃うようにしてある。
【００５８】
整列具４はその固定板部３３（図２（ｃ））だけを縦向き回転ベルト１の突起１１に固定し、縦向き回転ベルト１の外側に重なる受け板部３４は縦向き回転ベルト１に固定せずにフリーの状態にしてある。この取付け構造とすることにより、縦向き回転ベルト１の回転に伴って、縦向き回転ベルト１の突起１１が縦回転ドラム１２（方向転換部）の外側に差し掛かると、（図２（ａ））のように、背面支持部３４が縦向き回転ベルト１の外側に突出して受け板部３４の手前の孔あけ後の帆立貝Ａ（図２（ａ））が背面支持部３４から外に排出されるようにしてある。その後、縦向き回転ベルト１が更に回転して縦回転ドラム１２の外側をスムースに通過し、突起１１が縦回転ドラム１２の外側を回り終えると（方向転換部を通過し終えると）、背面支持部３４が縦向き回転ベルト１側に戻って縦向き回転ベルト１に重なるようにしてある。
【００５９】
前記整列具４の固定板部３３には二本の長孔（長溝）３５（図２（ｃ））が開口されており、固定板部３３を長孔３５の縦長方向に昇降スライドさせて、縦向き回転ベルト１の突起１１への取付け位置（高さ）を調節可能としてある。取付け位置を高くすると位置決め部１７（図２（ａ））の位置が高くなるため、その位置決め部１７と大きな帆立貝Ａの交差部Ｅ（図４）の位置が合い易くなって、大きな帆立貝Ａを整列させるのに適し、取付け位置を低くすると位置決め部１７の位置が低くなって、位置決め部１７と小さな帆立貝Ａの交差部Ｅ（図３）の位置が合い易くなって、小さな帆立貝Ａを整列させるのに適する。
【００６０】
（電動ドリルと保持具）
電動ドリル５はドリル用モータＭ１の先に、チャックとかその他の連結具によりドリル（ドリル刃）９が取付けられており、ドリル用モータＭ１の回転によりドリル刃９が回転するようにしてある。この回転により帆立貝Ａに孔をあけることができる。保持具６は電動ドリル５で帆立貝Ａに孔をあけるときに、帆立貝Ａが位置ずれしないようにするためのものであり、電動ドリル５で孔あけする前に、帆立貝Ａを縦向き回転ベルト１に押し付けて、整列された向きに保持できるようにしてある。保持具６はゴム或いは樹脂製であり、帆立貝Ａの殻Ｄに押し付け易い形状、構造、材質にしてある。電動ドリル５と保持具６は共通の支持具で駆動機構７に取付けられて、駆動機構７により一緒に駆動されるようにしてある。この場合、図７（ａ）に示すように、保持具６を電動ドリル５よりも先方に突出させておいて、電動ドリル５と保持具６を駆動機構７で一緒に前進移動させたとき、保持具６が電動ドリル５よりも必ず先に帆立貝Ａに押し当たるようにしてある。電動ドリル５及び保持具６は、図７（ａ）に示すように縦向き回転ベルト１に対向配置されている。保持具６の後方にはバネＳが配置されている（図６（ａ）、（ｂ）、図７（ａ））。
【００６１】
（駆動機構）
駆動機構７（図１）は、駆動モータＭ２（駆動源：図１）の回転力を動力源として、縦向き回転ベルト１を矢印Ｘ方向（図２（ａ））に回転させ、横回転ベルト２を矢印Ｙ方向（図２（ａ））に回転させることができる。また、電動ドリル５及び保持具６を、図７（ｂ）、（ｃ）に示すように、縦向き回転ベルト１側に前進移動させ、縦向き回転ベルト１の回転方向に横移動させ、縦向き回転ベルト１から離れる方向に後退移動させ（図７（ｄ））、図７の仮想線で示すように前進前の元の位置に移動させる（戻す）ことができるようにしてある。前記横移動は縦向き回転ベルト１の回転速度と同期させて、搬送中の帆立貝Ａに電動ドリル５で孔をあけ続けることができるようにしてある。
【００６２】
駆動機構７は、駆動モータＭ２の回転により、駆動モータＭ２のプーリＰ１（図１）に掛けたタイミングベルトＴで駆動機構７に連結されているプーリＰ２（図１）を回転させ、そのプーリＰ２の先の歯車（ギヤ）Ｇ（図１）を回転させて、ギヤＧと噛み合う縦回転ドラム１２（図２）の回転軸のギヤ（図示せず）を回転させて、縦向き回転ベルト１を回転させる。
【００６３】
駆動機構７は、プーリＰ２の回転を動力伝達機構（例えばギヤ：図示せず）により横回転ドラム１５（図２）の回転軸のギヤ（図示せず）に伝達して当該横回転ドラム１５を回転させて、横向き回転ベルト２を回転させる。
【００６４】
駆動機構７は、駆動モータＭ２の回転を、図示しない動力伝達機構により、電動ドリル５及び保持具６に伝達して、それらを前進移動−横移動−後退移動−戻り移動させる。
【００６５】
（側壁）
前記貝孔あけ装置では、図１、図５、図１１（ａ）に示すように、縦向き回転ベルト１の外側対向位置であって、横向き回転ベルト２の上方に側壁４０を設けて、縦向き回転ベルト１の受け部８内の帆立貝Ａが、縦向き回転ベルト１の外側に倒れるのを阻止できるようにしてある。側壁４０は薄板を縦向きに対向配置してある。側壁４０は図１の領域Ｌに設けて、受け部８内に投入された帆立貝Ａへの孔あけが完了して、帆立貝Ａが縦向き回転ベルト１の外側に排出されるまで、縦向き回転ベルト１の外側に倒れるのを阻止することができるようにしてある。
【００６６】
（貝孔あけ装置の使用例）
本願発明の貝孔あけ装置を使用して帆立貝の耳に孔をあける場合を以下に説明する。
（１）本願発明の貝孔あけ装置を作業場に設置する。この場合、図８、図９に示すように、縦向き回転ベルト１の上端側を、作業者５０側に傾斜（後傾）させる。縦向き回転ベルト１は孔あけ領域が駆動機構７のケース内を通過して連続回転するが、他の部分はケースの外に出ている。
（２）作業者５０が、図１のように帆立貝Ａを手で持って、一個ずつ、縦向きにして、回転中の縦向き回転ベルト１の投入口１４から受け部８内に投入する。
（３）受け部８内に投入された帆立貝Ａは、案内具３（図２（ａ））の下り斜面（送り部）１８に沿って滑落して、帆立貝Ａの殻Ｄが、図８のように縦向き回転ベルト１に凭れかかると共に図６（ａ）、（ｂ）のように、蝶番Ｂ側が横向き回転ベルト２の上に支持される。
（４）帆立貝Ａは、縦向き回転ベルト１と横向き回転ベルト２により、図１の矢印Ｘ方向に搬送される。このとき、横向き回転ベルト２の回転速度が縦向き回転ベルト１の回転速度よりも多少速いため（約１割程度：調整可）、帆立貝Ａは縦向き状態に維持されて搬送されて、蝶番Ｂの側面が整列具４の受け面１６に突き当たり（図３）、帆立貝Ａの交差部Ｅが整列具の位置決め部１７で位置決
めされて、帆立貝Ａの耳Ｃが一定の向きに整列する。
（５）帆立貝Ａの搬送が進行すると、図７（ａ）のように、縦向き回転ベルト１の手前の電動ドリル５と保持具６が共に帆立貝Ａ側に前進して、図７（ｂ）のように保持具６が帆立貝Ａを縦向き回転ベルト１に押し付けて、帆立貝Ａを縦向き回転ベルト１との間に保持する。このとき、保持具６はバネＳ（図６（ａ）、（ｂ））で帆立貝Ａ側に押されて帆立貝Ａを確実に押し付ける。
（６）駆動機構７により、電動ドリル５と保持具６とを更に前進させると、電動ドリル５が帆立貝Ａの耳Ｃに押し当たって耳Ｃに孔をあける（図７（ｃ））。このとき、バネＳが圧縮されるため、保持具６が帆立貝Ａを必要以上に押し付けて帆立貝Ａが損傷することがない。
（７）帆立貝Ａは電動ドリル５及び保持具６は電動ドリル５で孔をあけている間も、帆立貝Ａの搬送方向に、帆立貝Ａと同期として移動して、保持具６での押しを継続しながら、電動ドリル５で孔をあけ続ける。
（８）孔あけ終了後は、保持具６と電動ドリル５が共に帆立貝Ａ側から後退して、図７（ｄ）のように電動ドリル５が帆立貝Ａから抜けてから保持具６が帆立貝Ａから離れ、前進前の元の位置に戻って次の孔あけに入る。
（９）前記（２）〜（８）の動作の繰り返しにより、縦向き回転ベルト１と横向き回転ベルト２により搬送される帆立貝Ａに順次孔をあけることができる。
（１０）一つの帆立貝Ａへの孔あけ時間（図７（ａ）〜（ｄ）の時間）は調節可能であり、１分当たり１００個前後の孔あけができるように、縦向き回転ベルト１、横向き回転ベルト２の回転速度を設定することができる。この回転速度は調節可能である。
（１１）孔あけ後の帆立貝Ａは、縦向き回転ベルト１と横向き回転ベルト２で搬送され続け、縦向き回転ベルト１が回転方向転換部（回転ドラムの外周）に差し掛かると、図２のように、整列具４の背面支持部３４が縦向き回転ベルト１から離れて外側に突出し、帆立貝Ａを外側に排出する。横向き回転ベルト２は図２（ａ）のように、縦回転ドラム１２の手前で回転方向転換するため、整列具４の背面支持部３４で排出される帆立貝Ａは、横向き回転ベルト２で支持されなくなって落下する（回収される）。
【００６７】
［貝孔あけ装置の実施形態２：整列具］
前記実施形態１の整列具４は位置決め部１７（図２（ｃ））を備えたものであるが、整列具４はそれ以外の形状、構造であってもよく、例えば、図１０のような丸棒或いは丸パイプであってもよい。帆立貝Ａを所定の向きに整列できれば他の形状、構造であってもよい。
【００６８】
［貝孔あけ装置の実施形態３：ホッパー］
図１は、帆立貝Ａを一枚ずつ手に持って、縦向き回転ベルト１の受け部８内に投入する場合であるが、本願発明では図１１（ａ）のように、縦向き回転ベルト１の先方にホッパー４５を配置しておき、ホッパー４５内の帆立貝Ａを作業者５０が手で手前に引き寄せて、一個ずつ受け部８内に投入することもできる。ホッパー４５は多数枚の帆立貝Ａを入れておくことができれば、その形状や構造は特に問わないが、図１１（ｂ）、（ｃ）のように出口４６側を狭く（細く）して、帆立貝Ａが一個ずつ、受け部８内に落下し易くなるようにするのが望ましい。
【００６９】
［貝孔あけ装置の実施形態４：支持体］
前記実施形態は、縦向きで搬送される受け部８内の帆立貝Ａの蝶番Ｂ側をその下方から支持する支持体２を横向き回転ベルトとし、それを、縦向き回転ベルト１の走行方向と同じ方向に走行させる場合であるが、横向き回転ベルト２の走行方向は縦向き回転ベルト１の走行方向と逆方向にすることもできる。また、横向き回転ベルト２を走行させずに停止させておくこともできる。支持体２は横向き回転ベルトではなく、帆立貝Ａの蝶番Ｂ側を下方から支持できるものであれば、板材やローラコンベア或いは他の物であってもよい。横向き回転ベルト２を縦向き回転ベルト１と逆方向に走行させるとか、支持体２を動きのない板材とすることにより、縦向き回転ベルト１に取付けてある整列具４が、縦向き回転ベルト１の走行により帆立貝Ａの耳Ｃに押し当てられて、帆立貝Ａの孔あけ部Ｈが所定位置に揃えられる（位置決めされる）ようにすることもできる。要は、支持体２で支持されて搬送体１で搬送され受け部8内の帆立貝Ａと搬送体１の整列具４が当たって、貝の孔あけ部Ｈが所定位置（ドリル刃９で孔あけする位置）に位置決めされるようにすればよい。
【００７０】
［貝孔あけ装置の実施形態５：受け部］
図示した実施形態の受け部８は縦向き回転ベルト１の突起１１間に設けてあるが、本願発明の受け部８は上下に貫通した箱状で、上方貫通部を投入口、下方貫通部を帆立貝Ａの耳Ｃが突出して、支持体（横向き回転ベルト）２で支持されるようにしたものであってもよい。この箱状の受け部８は搬送体１の走行方向に二以上設けることができる。
【００７１】
［貝孔あけ装置の実施形態６：貝搬送体］
本願発明の貝搬送体６０は縦回転ベルト以外であってもよく、例えば、平行に配列された二本以上の無端チェーンとか、平行に配列された二本以上の無端丸ベルト等であってもよい。これら搬送体を使用する場合は、それら無端チェーンとか、無端丸ベルト等の手前に、前記箱状の受け部８を取付けるのが適する。この場合、箱状の受け部８を無端チェーンとか、無端丸ベルト等の走行方向に二以上設けることになる。
【００７２】
図１の縦向き回転ベルト１は矢印Ｘ方向に回転走行するようにしてあるが、それと逆方向に回転走行させることもできる。図２の横向き回転ベルト２の回転も逆向きとすることができる。縦向き回転ベルト１及び横向き回転ベルト２の回転走行速度は、横向き回転ベルト２で蝶番Ｂ側が支持されて、帆立貝Ａの殻Ｄ側が縦向き回転ベルト１で搬送される帆立貝Ａが、縦向き回転ベルト１の整列具４と当たって、帆立貝Ａの孔あけ部Ｈが所定位置に位置決めされるように、任意に設定することができる。
【００７３】
実施形態２〜６において、実施形態１と共通する形状、材質、構成等は、実施形態１と同じにすることができる。
【００７４】
前記実施形態の孔あけ装置は、本願発明の実施形態の一例であり、本願発明の目的を達成できれば、他の構造、形状、機構等とすることもできる。例えば、電動ドリル５と保持具６は別々に動くようにすることもできる。
【００７５】
前記説明は、便宜上、貝搬送体６０、電動ドリル５、保持具６、駆動機構７等の孔あけに必要な部材が一組の場合であるが、本願発明の貝孔あけ装置はそれらが二組の場合である。二組の一例として図１２に示すものは、貝搬送体６０、電動ドリル５、保持具６、駆動機構７等の孔あけに必要な部材として、同じ構成のものを二組使用し、それら二組の孔あけ装置の貝搬送体６０を並列に配置したものである。前記孔あけに必要な部材のうち、二組に共用可能なもの、例えば、駆動装置７は共用（兼用）することができる。図１２の孔あけ装置を使用する場合は、二本の貝搬送体６０を同方向に同側で回転させ、その回転中に、一人の作業者が二本の貝搬送体６０に帆立貝Ａを載せることもできるが、二人の作業者がいずれか一方の貝搬送体６０に帆立貝Ａを載せるとか、双方の貝搬送体６０の空いている受け部８に帆立貝Ａを載せたりすることができる。二本の貝搬送体６０を回転方向、回転速度は必ずしも同じでなくともよい。
【００７６】
二組の一例として図１３に示すものは、貝搬送体６０を内側と外側に二重に配置したものである。この場合も、二組に共用可能な必要部材は共用（兼用）することができる。図１３の孔あけ装置を使用する場合は、一人の作業者が内側と外側の貝搬送体６０に帆立貝Ａを載せることもできるが、二人の作業者が内側と外側のいずれか一方の貝搬送体６０に帆立貝Ａを載せることも、内側と外側の双方の貝搬送体６０の空いている受け部８に帆立貝Ａを載せることもできる。
【００７７】
二組の一例として図１４に示すものは、孔あけに必要な部材として同じ構成のものを二組使用し、それら二組の必要部材のうち、少なくとも、貝搬送体６０を上段と下段に配置したものである。この場合も、二組に共用可能な必要部材は共用（兼用）することができる。図１４の孔あけ装置を使用する場合は、一人の作業者が下段の貝搬送体６０に帆立貝Ａを載せ、他の一人の作業者が上段の貝搬送体６０に帆立貝Ａを載せるのに適する。この場合、下段の貝搬送体６０の受け部８を上段の貝搬送体６０よりも多少横に突出して配置すると、作業者が下段の貝搬送体６０の受け部８に帆立貝Ａを載せるときに、上段の貝搬送体６０が邪魔にならず、作業者が下段の貝搬送体６０の受け部８に帆立貝Ａを載せ易くなる。図１４の場合は、下段の貝搬送体の先端部６０ａを上段の貝搬送体の先端部６０ｂよりも外側に引き出しておくと、作業者が下段の貝搬送体６０の先端部６０ｂ側の受け部８に帆立貝Ａを載せるときに、上段の貝搬送体６０が邪魔にならず、作業者が下段の貝搬送体６０の先端部６０ｂ側の受け部８に帆立貝Ａを載せ易くなる。
【００７８】
図１２〜図１４の貝搬送体６０、電動ドリル５、保持具６、駆動機構７等の孔あけに必要な部材は、図１〜図１１に示すそれらと同じ構成、動作のものを使用することができる。図１２〜図１４のいずれの貝搬送体６０も、作業者が一人又は二人で、二本の貝搬送体６０に帆立貝Ａを載せ易いように配置する。
【００７９】
図１２に示す二本の貝搬送体６０は別体に形成されているが、二本の貝搬送体６０を一つの筐体に収容配置してもよい。
【符号の説明】
【００８０】
１    縦向き回転ベルト
２    横向き回転ベルト（支持体）
３    案内具
４    整列具
５    電動ドリル
６    保持具
７    駆動機構
８    受け部
９    ドリル刃
１０    縦向き回転ベルトの凹凸
１１    縦向き回転ベルトの突起
１２    縦回転ドラム
１３    回転ドラムの凹凸
１４    （受け部の）投入口
１５    横回転ドラム
１６    （整列具の）受け面
１７    （整列具の）位置決め部
１８    （案内具の）送り部（ガイド材の下り斜面）
１９    （案内具の）支持板
２０    （案内具の）ガイド材
２１    （支持板の）固定板部
２２    （支持板の）ガイド材取付け部
２３    （固定板部の）止め孔
２４    （ガイド材の）上面
２６    （ガイド材の）側面
２７    （ガイド材の）底板
２８    （ガイド材の）背面板
２９    止め孔
３０    止め具（ネジ、ボルト、ナット）
３１    横長孔
３２    ナット
３３    （整列具の）固定板部
３４    （整列具の）背面支持部
３５    （整列具の）長孔
４０    側壁
４５    ホッパー
４６    ホッパーの出口
５０    作業者
６０    貝搬送体
６０ａ  下段の貝搬送体の先端部
６０ｂ  上段の貝搬送体の先端部
Ａ    帆立貝
Ｂ    帆立貝の蝶番
Ｃ    帆立貝の耳
Ｄ    帆立貝の殻
Ｅ    帆立貝の交差部
Ｇ    ギヤ
Ｈ    孔あけ部
Ｍ１  ドリル用モータ
Ｍ２  駆動用モータ
Ｐ１  ドリル用モータのプーリ
Ｐ２  駆動体のプーリ
Ｓ    バネ
Ｔ    タイミングベルト
【図１】
0006440158.tif 000002
【図２】
0006440158.tif 000003
【図３】
0006440158.tif 000004
【図４】
0006440158.tif 000005
【図５】
0006440158.tif 000006
【図６】
0006440158.tif 000007
【図７】
0006440158.tif 000008
【図８】
0006440158.tif 000009
【図９】
0006440158.tif 000010
【図１０】
0006440158.tif 000011
【図１１】
0006440158.tif 000012
【図１２】
0006440158.tif 000013
【図１３】
0006440158.tif 000014
【図１４】
0006440158.tif 000015